(57)【要約】【課題】従来のティッシュペーパー箱はティッシュペーパーの残量が少なくなると箱の底紙を突き上げる方式である為に殆どの使用者はそれを利用していない。縦に吊り下げた時に、既存の取り出し口だと縦に引き抜くことができないし、下にへたってくる。【解決手段】ティッシュペーパー箱の長側面（３）内側に取り出し口面（１）の方向に毛足が向いた繊維又は紙製（７）を貼りつける。またもう一方の長側面（３）の内側は押し上げ板を板バネと一体化させて押し上げ、その側面には毛足のある素材を貼り、その底面には滑り止め素材を貼る。よってそれぞれが相互作用することにより解決ができる。取り出し口面（１）の下部と短側面（４）との接合部分及び多少の幅で横に切り開いて取り出し口（２）として設けることで解決できる。【選択図】            図４
2004359248.tif 000002
【特許請求の範囲】
【請求項１】
ティッシュペーパー箱の長側面（３）の内側に上部のティッシュペーパーの取り出し口面（１）の方向に毛足が向いた繊維又は紙製（７）を貼り付けたティッシュペーパーずり上げ構造を持つティッシュペーパー箱。
【請求項２】
長側面と底面（幅が箱底幅より狭い）がＬ字型に一体成型し、底面の端が箱の取り出し口面の少し手前になるように長側面上部をくの字もしくは逆Ｕ又はＶの字に曲げて板バネ（１０）を作成、そして板バネ（１０）と同じ角度で箱の長側面（３）と同じ幅をした押し上げ板（６）を板バネ（１０）の上に乗せて一体化させる。押し上げ板（６）をバネ効果のある素材を使用してもよい。押し上げ板（６）の長側面内側にはティッシュペーパーの取り出し口の方向に毛足が向いた繊維又は紙製（７）を貼り付ける。そして押し上げ板（６）の底面に滑り止め素材（８）を貼り付ける。ティッシュペーパー箱の長側面（３）内側上部を起点となるように取り付けた底上げ機能を有する請求項１記載のティッシュペーパー箱。
【請求項３】
ティッシュペーパーの取り出し口（２）を従来の取り出し口面（１）と短側面（４）との接合部分及び多少の幅で横に切り開いた所より取り出す請求項１、２記載のティッシュペーパー箱。
【発明の詳細な説明】
【０００１】
【発明の属する技術分野】
本発明は、ティッシュペーパーの底上げ及び取り出し口に関するものである。
【０００２】
【従来の技術】
従来、ティッシュペーパー箱の底上げは、箱の底紙を突き上げるものである。
【０００３】
取り出し口は取り出し口面の中央に縦長くしている。
【０００４】
【発明が解決しようとする課題】
従来のティッシュペーパー箱はティッシュペーパーの残量が少なくなると途切れるため、箱の底紙を突き上げる方式になっているが殆どの使用者は面倒くさいのでそれを利用していない。
【０００５】
ティッシュペーパー箱を縦に吊り下げると、ティッシュペーパーの残量が少なくなると下の方にティッシュペーパーがへたってしまい、取り出し不能となる。
【０００６】
ティッシュペーパー箱を縦に吊り下げると常時取り出し口より出ているティッシュペーパーが地面に対して直角に出る為に机の足などを利用して縦に吊り下げるとティッシュペーパーを横に引き抜く動作となり合理的動作ではないし、見た目も嫌らしい。
【０００７】
本発明は、従来の技術の有するこのような問題点を鑑みてなされたものであり、その目的とするところは、ティッシュペーパーを自動的に底上げし、縦に吊り下げた時、地面に対して垂直に上もしくは下に引き抜く事が出来、ティッシュペーパーの残量が少なくなっても下の方にティッシュペーパーがへたらず最後の１枚まで取り出せるし、見た目も非常にスッキリしていて美しい。
【０００８】
【課題を解決するための手段】
上記目的を達成するために、本ティッシュペーパー箱の長側面（３）内側に一方向に毛足が向いた繊維又は紙製（７）を使って、ティッシュペーパーの取り出し口面（１）の方向に、ティッシュペーパーを使用するたびにずり上げる機能を持たせる。
【０００９】
ティッシュペーパー箱の長側面（３）内側にティッシュペーパーを合理的に常時押し上げる為の板バネ機能を持たせる。
【００１０】
ティッシュペーパー箱を吊り下げた時、上または下に垂直にティッシュペーパーを引き抜く事ができるように取り出し口を端にもってくる。
【００１１】
【発明の実施の形態】
発明の実施の形態について図面を参照して説明する。
本ティッシュペーパー箱は一方の長側面（３）内側に取り出し口面（１）の方向に毛足が向いた繊維または紙製（７）を貼り付ける。この繊維または紙製とはコールテン、ベロア、ベルベット等毛足が一方方向に植毛されたり起毛された繊維とか、凹凸の突起部が一方方向に向けたエンボス加工された紙製等である。
【〇〇１２】
押し上げ機能は長側面からの板バネ効果を利用したもので、合成樹脂あるいは金属等で曲げるとバネの効果が得られる素材を使用する。長側面と底面（幅が箱底幅より狭い）がＬ字型に一体成型し、底面の端が箱の取り出し口面の少し手前になるように長側面上部をくの字もしくは逆Ｕ又はＶの字に曲げて板バネ（１０）を作成する。この板バネ（１０）の幅は素材のバネ圧に合わせて決定しカットする。そして板バネ（１０）を１個もしくは数個用意して、箱のもう一方の長側面（３）内側に上部が起点となるように取り付ける。そして板バネ（１０）と同じ角度で箱の長側面（３）と同じ幅をした押し上げ板（６）を板バネ（１０）の上に乗せて一体化させる。押し上げ板（６）をバネ効果のある素材を使用してもよい。押し上げ板（６）の長側面内側にはティッシュペーパーの取り出し口の方向に毛足が向いた繊維又は紙製（７）を貼り付ける。そして押し上げ板（６）の底面に滑り止め素材（８）を貼り付ける。
【００１２】
取り出し口（２）を従来の取り出し口面（１）の下部と短側面（４）との接合部分及び多少の幅で横にカットして取り出し口（２）とする。
【００１３】
【発明の効果】
本発明は、上述のとおり構成されているので、つぎに記載する効果を奏する。
【００１４】
本ティッシュペーパー箱は自動的に取り出し口の方向に押し上げているために途中で途切れる事も無く、最後の１枚まできちんと取り出せる。
【００１５】
本ティッシュペーパー箱を吊り下げたときに、ティッシュペーパーを地面に対して上もしくは下に垂直に引き抜く事ができ合理的である。
【００１６】
本ティッシュペーパー箱を吊り下げたときに、毛足（７）の作用、板バネ（６）の力、底面板に貼り付けてある滑り止め素材（８）等の相互作用により、ティッシュペーパーが垂直に維持でき、下方向にへたらなくなった。
【図面の簡単な説明】
【図１】本ティッシュペーパー箱の上から見た斜視図
【図２】本ティッシュペーパー箱の空箱状態を上から見た断面斜視図
【図３】本ティッシュペーパー箱の空箱状態の断面図
【図４】本ティッシュペーパー箱の満杯状態を上から見た断面斜視図
【図５】本ティッシュペーパー箱の満杯状態の断面図
【図６】押し上げ板を上から見た斜視図
【図７】板バネを上から見た斜視図
【符号の説明】
（１）    取り出し口面
（２）    取り出し口
（３）    長側面
（４）    短側面
（５）    底面
（６）    押し上げ板
（７）    毛足が一方方向に向いた繊維又は紙製
（８）    滑り止め素材
（９）    毛足方向
（１０）    板バネ
【図１】
2004359248.tif 000003
【図２】
2004359248.tif 000004
【図３】
2004359248.tif 000005
【図４】
2004359248.tif 000006
【図５】
2004359248.tif 000007
【図６】
2004359248.tif 000008
【図７】
2004359248.tif 000009